(57)【要約】      （修正有）【課題】リスク性が大きいときにだけ、対応を行う携帯不審者判断装置及び不審者判断方法を提供する。【解決手段】携帯不審者判断装置１００は、被監視者周辺を撮影するカメラ１１０と、条件判断手段１２１とリスク判断基準１２２とリスク判断手段１２３を備えた不審者判断手段１２０と、通信手段１３０と、ＩＤ１６０と、電源１５０と、を備える。画像中の不審者候補の条件に依存して、不審者候補の危険判断をする判断基準を定め、判断基準を基に不審者候補のリスク判断をし、結果により画像の送信・警報を行う。【選択図】図１
2020017154.tif 000002
【特許請求の範囲】
【請求項１】
被監視者が身体または身に着けた帽子または衣服等に取り付けて携帯するものであり、前記被監視者が不安又は不審者候補の恐れを感じた場合又は必要性を感じた場合に起動させ、画像を取らせ、前記不審者候補のリスク性を判断させ、前記判断の結果で、外部の監視基地局へ不審者情報の送信を少なくとも含む行動を行わせるものであって、
前記起動により前記被監視者の周辺を撮影し前記画像を取るカメラと、前記撮影された前記画像に写った前記不審者候補を不審者としてリスクありか否かを判断する不審者判断手段と、前記リスクありの前記判断の結果を受けて、前記監視基地局へ前記画像を含む前記不審者情報を少なくとも送信する通信手段と、前記被監視者の個体を識別する識別符号（ＩＤ）と、電力を供給する電源と、を備え、前記不審者判断手段は、前記リスクありか否かを判断するリスク判断手段と、前記判断する場合に参照するリスク判断基準と、前記リスク判断基準の基準を予め定めるための条件の違いを前記画像中の前記不審者候補の特徴から判断する条件判断手段と、を有し、前記条件の前記リスクへの影響の度合いに依存して、前記基準を定めていることを特徴とする携帯不審者判断装置。
【請求項２】
前記リスク判断基準の項目は、前記被監視者からの所定の距離以内に前記不審者候補が入った場合、前記リスクありとするための距離Ｌと、前記画像中での前記不審者候補の出現時間ｔと、前記被監視者と同じ角を曲がった角数ｃと、の内、少なくとも1つを含むことを特徴とする請求項１記載の携帯不審者判断装置。
【請求項３】
前記条件の項目は、前記画像中で前記不審者候補が前又は横から前記被監視者に近づいているか否か、及び、前記画像中の前記不審者候補が顔を隠しているか否か、の内、少なくとも1つを含むことを特徴とする請求項１又は請求項２記載の携帯不審者判断装置。
【請求項４】
前記不審者判断手段は、前記不審者候補と前記被監視者間に他人が介在者としているかを判断する介在者判断手段を有することを特徴とする請求項１から請求項３のいずれか1つに記載の携帯不審者判断装置。
【請求項５】
前記カメラは、可視光のカメラ以外に、前記不審者候補が顔を隠して場合の顔隠し対応としての赤外線カメラを備え、前記赤外線カメラの画像は、前記顔部分のみを前記赤外線画像とすることを特徴とする請求項１から請求項４のいずれか1つに記載の携帯不審者判断装置。
【請求項６】
前記被監視者が、請求項１から請求項５のいずれか1つに記載の携帯不審者判断装置を携帯し、監視が必要となった場合に随時、前記携帯不審者判断装置を起動させ、前記携帯不審者判断装置が備える前記カメラで前記被監視者の周辺の前記画像取りし、前記画像中に写った前記不審者候補の呈する特徴を前記条件として取得し、前記条件を考慮して前記リスク判断基準を予め定め、前記リスク判断基準により、前記不審者候補のリスク性（リスクの度合い）を判断し、前記判断の結果により、前記識別符号（ＩＤ）と前記不審者候補の画像を含む前記不審者情報を前記監視基地局に送信することを特徴とする不審者判断方法。
【発明の詳細な説明】
【技術分野】
【０００１】
本発明は、被監視者を後ろから追跡し又は前や横から襲う恐れのある不審者を判断し、監視基地局への画像送信、警報等の対応を行い、犯罪防止に寄与する携帯不審者判断装置と不審者判断方法に関するものである。
【背景技術】
【０００２】
図５は、従来の不審者監視装置を示す図である。
５−Ａにおいて、特許文献１に示される不審者監視装置であり、背後を見るためのカメラとそのデータにより背後を見るための携帯表示器からなっている。不審者に追従されている恐れがある場合に、振り返ることなく背後を見ることができる。不審者であるかどうかは、画像を見て所持者が判断する。表示器を見ながら歩くことになるため、細かな対応がしにくいこと、自分での判断と処理であるので、その場での判断・対応が必要で、低年齢層には使いにくいなど欠点がある。
５−Ｂにおいて、特許文献２に示されているが、予め設定した時間が来ると、自動的に写真撮影を開始し、設定した時間間隔で撮影し、撮影ごとに電話回線を通じて指定のサーバーに写真を送付し、予め設定した時刻に、撮影と送信を終了するための所持者の身に付ける携帯用端末である。
設定した時間の間、写真を撮り画像を送信するので、画像データがはなはだ多くなり、多人数が使用するとデータ量がオーバーフローする欠点がある。更に判断機能がないため、送付するデータも撮影された画像全てになり、その恐れが大きい。また、リスクが有っても判断することが無く、画像があっても、リスクを本人が気づかない恐れもある。また、送付された先でも判断することが無いので、リアルタイムでの対応が難しい。
５−Ｃにおいて、特許文献３に示されているが、銀行の金庫など重要物が保管されている所定の領域を観測するところの定まった狭い範囲の定点観測の装置であり、画像において、顔を検知した近くに顔を隠した人物の存在を検知したとき、不審者がいるという判定をし警報出力をする装置である。
銀行等では、金庫の前に銀行員以外はいないのが通常であり、顔を隠した人物が付き添った状態は、脅されながら案内している状況である。このような用途にはよいが、路上などでは、定点に設置されたカメラに相当し、移動する歩行者を随時観測するには不向きであり、顔出しの人の周りに顔を隠した状態（マスク等で）は、普通に見られるので対応できない。すなわち、この状態は、路上では未だ危険と言えない状態にある。
また、路上での移動状態の特徴に沿った、顔隠しや、くる方向の違いといった条件の違いによって、追跡時間や近づいた範囲や曲がった角数などの危険を判断する基準を変えることが重要であるが、そのような発想は先行技術では示されていず、嘱望されるところであった。
【先行技術文献】
【特許文献】
【０００３】
【特許文献１】特開２００４−２３６３４７
【特許文献２】特開２００７−２０７２１１
【特許文献３】特開２０１２−５００３１
【発明の概要】
【発明が解決しようとする課題】
【０００４】
本願の課題は、画像中の不審者候補の条件に依存して、不審者候補の危険判断をする判断基準を定め、判断基準を基に不審者候補のリスク判断をし、結果により画像の送信・警報を行うことで、リスク性が大きいときにだけ、これらの対応を行う携帯不審者判断装置及び不審者判断方法を提供することである。
【課題を解決するための手段】
【０００５】
以下請求項に沿い記述する。
請求項１記載の発明は、携帯不審者判断装置であって、
被監視者が身体または身に着けた帽子または衣服等に取り付けて携帯するものであり、前記被監視者が不安又は不審者候補の恐れを感じた場合又は必要性を感じた場合に起動させ、画像を取らせ、前記不審者候補のリスク性を判断させ、前記判断の結果で、外部の監視基地局へ不審者情報の送信を少なくとも含む行動を行わせるものであって、
前記起動により前記被監視者の周辺を撮影し前記画像を取るカメラと、前記撮影された前記画像に写った前記不審者候補を不審者としてリスクありか否かを判断する不審者判断手段と、前記リスクありの前記判断の結果を受けて、前記監視基地局へ前記画像を含む前記不審者情報を少なくとも送信する通信手段と、前記被監視者の個体を識別する識別符号（ＩＤ）と、電力を供給する電源と、を備え、前記不審者判断手段は、前記リスクありか否かを判断するリスク判断手段と、前記判断する場合に参照するリスク判断基準と、前記リスク判断基準の基準を予め定めるための条件の違いを前記画像中の前記不審者候補の特徴から判断する条件判断手段と、を有し、前記条件の前記リスクへの影響の度合いに依存して、前記基準を定めていることを特徴とする。
【０００６】
請求項２記載の発明は、請求項１記載の携帯不審者判断装置において、
前記リスク判断基準の項目は、前記被監視者からの所定の距離以内に前記不審者候補が入った場合、前記リスクありとするための距離Ｌと、前記画像中での前記不審者候補の出現時間ｔと、前記被監視者と同じ角を曲がった角数ｃと、の内、少なくとも1つを含むことを特徴とする。
【０００７】
請求項３記載の発明は、請求項１又は請求項２記載の携帯不審者判断装置において、
前記条件の項目は、前記画像中で前記不審者候補が前又は横から前記被監視者に近づいているか否か、及び、前記画像中の前記不審者候補が顔を隠しているか否か、の内、少なくとも1つを含むことを特徴とする。
【０００８】
請求項４記載の発明は、請求項１から請求項３のいずれか1つに記載の携帯不審者判断装置において、前記不審者判断手段は、前記不審者候補と前記被監視者間に他人が介在者としているかを判断する介在者判断手段を有することを特徴とする。
【０００９】
請求項５記載の発明は、請求項１から請求項４のいずれか1つに記載の携帯不審者判断装置において、
前記カメラは、可視光のカメラ以外に、前記不審者候補が顔を隠して場合の顔隠し対応としての赤外線カメラを備え、前記赤外線カメラの画像は、前記顔部分のみを前記赤外線画像とすることを特徴とする。
【００１０】
請求項６記載の発明は、不審者判断方法であって、
前記被監視者が、請求項１から請求項５のいずれか1つに記載の携帯不審者判断装置を携帯し、監視が必要となった場合に随時、前記携帯不審者判断装置を起動させ、前記携帯不審者判断装置が備える前記カメラで前記被監視者の周辺の前記画像取りし、前記画像中に写った前記不審者候補の呈する特徴を前記条件として取得し、前記条件を考慮して前記リスク判断基準を予め定め、前記リスク判断基準により、前記不審者候補のリスク性（リスクの度合い）を判断し、前記判断の結果により、前記識別符号（ＩＤ）と前記不審者候補の画像を含む前記不審者情報を前記監視基地局に送信することを特徴とする。
【発明の効果】
【００１１】
以上の様に構成されているので、本発明による携帯不審者判断装置及び不審者判断方法では、画像中の不審者候補の条件に依存して予め定めたリスク判断基準によりリスク判断を行い、真にリスクがある恐れがあると判断した場合のみ、警報や画像のデータ送信があるので、データ量が少なく、また、リスクの認識も明確になる。
【図面の簡単な説明】
【００１２】
【図１】本発明にかかる携帯不審者判断装置の構成の一実施態様を示す図である。
【図２】本発明にかかる携帯不審者判断装置及び不審者判断方法の不審者判断におけるリスク判断基準の一実施態様を示す図である。
【図３】本発明にかかる携帯不審者判断装置及び不審者判断方法に係る動作を示すフロー図の一実施態様を示す図である。
【図４】本発明にかかる携帯不審者判断装置及び不審者判断方法の不審者判断条件によるリスク判断基準の数値の一実施態様を示す図である。
【図５】従来の不審者監視装置を示す図である。
【発明を実施するための形態】
【００１３】
図1は、本発明にかかる携帯不審者判断装置の構成の一実施態様を示す図である。
１−Ａにおいて、携帯不審者判断装置１００は、守られるべき被監視者１０が身体または身に着けた帽子または衣服等に取り付けて携帯するものであり、被監視者１０が不安や不審者２０の恐れを感じた場合やその他の必要性を感じた場合に、動作させ、周辺の画像をとり不審者２０のリスク性を判断させ、画像を監視基地局２００に送信或いはリスク表示や警報を行わせるものであり、以下の構成を有する。
携帯不審者判断装置１００は、起動により被監視者１０の周辺を撮影するカメラ１１０と、撮影された画像に写った不審者２０候補を不審者としてリスクありと判断する不審者判断手段１２０と、判断結果を受けて外部の監視基地局２００へ画像を含む不審者情報を送受信する通信手段１３０と、被監視者１０の個体を識別する識別符号１６０（ＩＤ）と、これらに電力を供給する電源１５０と、を備え、不審者判断手段１２０は、不審者候補が顔隠しをしているかどうかや、近づいてくる向が、後ろからか、前か横からかといった条件の違いを画像で判断する条件判断手段１２１と、その判断結果により分けて定められたリスク判断基準１２２と、リスク判断基準１２２に基づいて画像中の不審者候補がリスクのある不審者と判断し、判断結果を出すリスク判断手段１２３を有している。
リスク判断基準１２２の基準の例は、図４で記述する。
尚、判断結果を受けて、音や光で被監視者１０や周辺に知らせるリスク表示手段１４０を備えると好都合であり、更に、ｇｐｓなどの測位手段１７０を備えると、ＩＤ以外に被監視者１０の位置情報を監視基地局２００に送信できるので好都合である。
尚、１−Ｂ、１−Ｃに示すように、携帯不審者判断装置１００は、カメラ１１０を含む部分をその他の部分と一体構成又は別体構成いずれも可能である。別体構成では、カメラを含む部分を小さく、その他を大きく構成できるので、使用上の利点がある。別体の場合の相互間は電気的接続（有線、無線を問わず）がなされている。
【００１４】
図２は、本発明にかかる携帯不審者判断装置及び不審者判断方法の不審者判断におけるリスク判断基準の項目の一実施態様を示す図である。リスク判断手段１２３が判断するリスク判断基準１２２の項目例として、２−Ａにおいて、被監視者１０からの距離Ｌがある。不審者２０の候補が、距離Ｌ内の範囲に入った場合リスクありと判断する。画像中の判断であるので、例えば、画像内の不審者２０の候補の大きさで判断することも可能である。しかし、精度を得るには、不審者２０の候補方向への投光により、路面に映る光点より距離Ｌの参照を与えることや、不審者からの音波やレーザ光の反射で距離を見ることの手段が取れる。
２−Ｂにおいて、画像中の不審者２０の候補の出現時間ｔがリスク判断基準になる。
例えば、６０分も画像中にあれば（途中いなくなっても、不審者候補を認識した前と後の画像があれば、両者間の時間）、リスクありと判断する。所定時間間隔で撮影しているので写った回数でも等価である。
２−Ｃにおいて、被監視者１０と同じ街角を曲がった角数もリスク判断基準になる。
角は、交差点では３分岐、３差路では２分岐などどちらかに分かれ、離れていく確率が高い。にもかかわらず、例えば、２−Ｃのように、被監視者１０が街角ｃ１、ｃ２、ｃ３、ｃ４、ｃ５、ｃ６と曲がっていったとき、画像中の不審者候補の像から不審者２０の候補が同じように曲がってきたと思われるなら、例え、距離や時間が短くてもリスクがあると判断する。角数がリスク判断基準にするのはこの故である。尚、Ｃ３において矢印のように上に曲がる道があるのに、曲がらずにまっすぐ付いてきたことは、これもリスクと判断できる要因となる。
【００１５】
図３は、本発明にかかる携帯不審者判断装置及び不審者判断方法に係る動作を示すフロー図の一実施態様を示す図である。
１）被監視者１０が携帯不審者判断装置１００の電源を入れる。
２）携帯不審者判断装置１００がカメラ１１０により被監視者１０の周辺の画像を所定の時間間隔で取得する。最初は、不審者候補が特定されない場合もあり、画面に入る全員が不審者候補になる場合もある。
３）画像中で不審者候補が前又は横から近づいているかの条件判断を行う。その結果、ｄ＝０（いいえ）、ｄ＝１（ハイ）と場合分けをする。リスク判断において判断分けをするためである。４）では、画像中の不審者候補が顔を隠しているかの条件判断をする。その結果、ｎ＝０隠していない、ｎ＝１隠している。顔隠しの例としては、サングラス、マスクをしているもの、更に不審なのは目出し帽をかぶっている場合である。リスク判断において判断分けをするためである。
尚、前又は横から迫ってくる人物への対応は、後ろから追跡より、画面上に出てくる頻度も少ない状態で犯行にあう危険も多いと考えられるので以上のような条件とされるわけである。顔隠しも不審である度合いが大きいとして条件とされるわけである。
【００１６】
これらの条件判断は条件判断手段１２１で行う。条件判断自体がリスク判断になるわけでない。すなわち、マスクをつけていても、そのことで不審者としてリスク判断し、画像を送信することをするわけではない。あくまでリスク判断がなされて画像等の送信がなされるので、扱うデータ量が膨大になる恐れを排除しているのである。
５）画像中で不審者候補が写っている延べ時間が時間基準ｔ以上か、又は同じく曲がった曲がり角の数基準Ｃ以上かを判断する。時間ｔと角数ｃのどちらでも以上となれば次の７）に行く。どちらも下回っている場合は６）に行く。尚、時間ｔと角数ｃの基準値は、条件ｄ、ｎにより違って定められ、図４がその例である。６）画像中で不審者警戒域Ｌ内かを判断する。Ｌの外であれば、２）の画像取得に戻る。Ｌ内に入ると、７）に行く。
７）不審者と被監視者間に他人が介在者としているか。間に人がいる場合は、犯罪にならないケースもあるのでその場合は、２）の画像取得に戻る。撮影の時間間隔を前より小さくすることが好ましい。介在者がいない場合は、８）に行く。尚、７）の工程を省くこともできる。その場合は、介在者がいても犯罪の可能性を考えて送信等をしておこうという事である。尚、介在者がいるかの判断は、不審者判断手段１２０内の介在者判断手段１２４により行う。
８）ＩＤ（被監視者１０が誰であるか（会員制や届により、ＩＤと個人との対応は予めなされているものとする））と好ましくは位置情報を取得し、９）取得情報と不審者の写っている画像情報を通信手段１３０を介して監視基地局２００に送信する。同時に周辺者の通信情報端末にも送ることも可能である。同時にリスク表示手段１４０で警報を出す。場合によっては、被監視者１０本人に、歩行を変更して、人のいる方へ行く（安全）ような指示を出すことができる。
【００１７】
尚、前か横からくる場合は、不審者でない場合もあるが、画像の履歴が少なくなるので、一端、画像を送信することで、犯行の抑止効果を出すことは都合がよい。但し、犯行が無い場合は、適当な時間経過後には画像を消去（順次又は一括）することが好ましい。
尚、画像の消去は、全ての画像を消去するのではなく、時間的に前の画像を消去し、最終の画像を代表にして、写っている日時やその履歴（例えば、2018.6.28/15:15−15:35、2018.7.2/15:20−15:45、又は、最終データのみでもよい。）をデータとして残すことで、データ量を小さくできる。また、何度も出てくるなど不審者の度合いが高い場合は、画像を消去するまでの期間を長くすることも可能である。
【００１８】
監視基地局２００では、警備関係を動かすなどの行動を行うことに繋げる。危険がない状態になれば、１０）電源を切って終了となる。動作中、全くリスク判断に至らない場合は、８）９）の工程はないので、画像データ量が過大になる恐れは全くない。
むしろ、犯罪になる確率の方が極めて少ないのだから、常時、画像データを送ることは、好ましい考えではなく、本願は、リスク判断になって初めて８）９）が行われることは、現実的に好ましい。
【００１９】
尚、不審者と判断されても、不審者の可能性があるという事であり、世間に露出するものでは無く、事件にならなかった場合は、画像データ等は、適当な日時を置いて、消去することになる。同様に、音での警報は、犯罪が起らない通常の場合は、付近にいるものには、嫌疑を掛けられているようで、いい気分ではない。被監視者の注意を促すことを目的する程度の音（例えば、「ピッ、ピッ、ピッ、・・・」というような優しい音）や、周辺者に過剰な負担を与えないほどほどの大きさが適当である。
不審者候補は、警報や送信が行われた段階では、犯行を諦めることだろう。無理やり犯行に及べば、送信されている画像から、逮捕されることになる。また、画像が取られているため、容疑者候補に挙がることが容易になるため、逮捕の機会も増えるため、抑止効果が大きい。
すなわち、監視カメラが被監視者と共に移動するため、随所に監視カメラがあることと同じで、リスク判断が有った時のみ対応があるので、盲点の無いきめ細かな監視ができる。
【００２０】
尚、顔隠し対応として、赤外線カメラを用意し、顔隠しがされて無い場合は、可視光カメラで、顔隠しがある場合は、赤外線カメラでの画像も取得し、必要な場合は、顔部分のみを赤外線画像にする処理も好ましい。
このようにすれば、顔を隠すことも効果が薄れ、更にそれだけで不審者らしいことも考慮すると、顔隠しをすることも減少すると思われる。そして、暗い夜間対応としても好ましい。
【００２１】
図４は、本発明にかかる携帯不審者判断装置及び不審者判断方法の不審者判断条件による危険度判断基準の数値の一実施態様を示す図である。
条件：○顔を隠している  ｎ＝１、いないｎ＝０
○接近が前又は横  ｄ＝１、後    ｄ＝０
により、
リスク判断基準
◇時間ｔ（条件値が１である場合は、小さく設定）：回数Ｋの指定も可能
◇角数ｃ（条件値が１である場合は、小さく設定）
◇距離Ｌ（条件値が１である場合は、大きく設定）
を定めた例である。
数値は、例であるので、自由に設定できる。
【００２２】
被監視者が携帯不審者判断装置を携帯し、監視が必要となった場合に随時、携帯不審者判断装置を起動させ、携帯不審者判断装置が備えるカメラで被監視者１０周辺の画像取りし、画像中に写った不審者候補の呈する特徴を条件として取得し、条件を考慮してリスク判断基準を予め定め、リスク判断基準により、不審者のリスク性（リスクの度合い）を判断し、リスク判断結果により、ＩＤと位置情報と不審者候補を含む画像を監視基地局に送信することで、不審者による犯罪の抑止を計ることができる。
【産業上の利用可能性】
【００２３】
以上のように本発明にかかる携帯不審者判断装置及び不審者判断方法では、携帯者である被監視者が、監視が必要となった場合に随時動作させ、画像中の不審者候補の呈する条件により予め定めたリスク基準を基に不審者のリスク性を判断し、画像送信等の行動を行うので、データ量が少なく、リスクの認識がしやすいなどの現実を捉えた監視ができ、産業上利用して極めて好都合である。
【００２４】
１０  被監視者
２０  不審者２０
１００  携帯不審者判断装置
１１０  カメラ
１２０  不審者判断手段
１２１  条件判断手段
１２２  リスク判断基準
１２３  リスク判断手段
１３０  通信手段
１４０  リスク表示手段
１５０  電源
１６０  ＩＤ
１７０  測位手段
２００  監視基地局
【図１】
2020017154.tif 000003
【図２】
2020017154.tif 000004
【図３】
2020017154.tif 000005
【図４】
2020017154.tif 000006
【図５】
2020017154.tif 000007